(57)【要約】      （修正有）【課題】地中に埋設する密閉容器に対するパイプ接続を簡単にして設置工事を容易にし、媒体液の循環ループに対するエア抜きを適切に行い、更に、循環ループを構成する循環ポンプ、パイプ及び密閉容器の耐用性を向上可能とする波動空間生成装置を提供する。【解決手段】波動空間生成装置１０は、媒体液２０を循環させる循環パイプ１２０を内部に設け、人体共鳴吸収領域の波長における放射率が所定値以上の遠赤外線等放射物質を含む材料で表面を形成したＢＭＥ発生パネル１２と、壁３４、床３６、天井３８等に設けたＢＭＥ共鳴プレート１４とを備え、ＢＭＥ発生パネルとＢＭＥ共鳴プレートとにより囲まれた波動空間２２を構成する。循環ポンプ１８は、媒体液を地中熱と熱交換して所定温度に保持する地中熱交換器１６とＢＭＥ発生パネルの間で循環させる。また、循環パイプから高い位置にエア抜きパイプ１７２を引き出し、開閉バルブ１７４を設ける。【選択図】図２
0003194908.tif 000002
【実用新案登録請求の範囲】
【請求項１】
媒体液を循環させる循環パイプを内部に設け、人体共鳴吸収領域の波長における放射率が所定値以上の遠赤外線等放射物質を含む材料で表面を形成した遠赤外線等発生パネルと、前記遠赤外線等放射物質を含む材料で表面又は表面近傍を形成した遠赤外線等共鳴プレートとを備え、前記遠赤外線等発生パネルと前記遠赤外線等共鳴プレートとにより囲まれた空間を構成する波動空間生成装置に於いて、
前記媒体液を地中熱と熱交換して前記所定温度に保持する地中熱交換器と、
前記媒体液を前記遠赤外線等発生パネルと前記地中熱交換器との間で循環させる循環ポンプと、
を備え、
前記地中熱交換器は、
所定深度の地下に埋設した密閉容器と、
前記循環ポンプにより循環する前記媒体液を前記密閉容器の一端から導入する導入パイプと、
前記循環ポンプにより循環する前記媒体液を前記密閉容器の他端から排出する排出パイプと、
前記赤外線等パネルに設けた前記循環パイプの上端部から引き出され、前記循環パイプ、導入パイプ、密閉容器及び排出パイプからなる前記媒体液の循環ループへの、前記媒体液の供給及びエア抜きを行うエア抜きパイプと、
前記エア抜きパイプに設けて開閉する開閉バルブと、
を備えたことを特徴とする波動空間生成装置。
【請求項２】
請求項１記載の波動空間生成装置において、前記媒体液を油圧作動油としたことを特徴とする波動空間生成装置。
【請求項３】
請求項１記載の波動空間生成装置において、前記密閉容器は、地表から５ｍよりも深い位置に埋設することを特徴とする波動空間生成装置。
【請求項４】
請求項２記載の波動空間生成装置において、前記密閉容器は、ステンレス又は合成樹脂で形成したことを特徴とする波動空間生成装置。
【考案の詳細な説明】
【技術分野】
【０００１】
本考案は、波動石（角閃石）を原料とした微弱磁気エネルギー、マイナスイオン及び遠赤外線を放射する物質を利用することにより、人間や動植物に好適な微弱磁気エネルギー、マイナスイオン及び遠赤外線を効率よく放射して、家庭、ホテル個室、医療施設などの居住空間を手軽に快適な空間とすることができる波動空間生成装置に関する。
【背景技術】
【０００２】
遠赤外線は、その放射が人体に共鳴吸収されることにより、細胞を活性化して代謝を促進するために健康に良いとされているが、このような効果を享受するためには、遠赤外線の放射されている空間（波動空間）に居ることが必要である。
【０００３】
遠赤外線による波動空間を生成することができる装置としては、例えば引用文献１に記載されているような、遠赤外線等発生パネルと遠赤外線等共鳴プレートによって囲まれた空間を構成する波動空間生成装置がある。
【０００４】
このような波動空間生成装置では、冷房設備や給湯設備等によって温度制御された媒体液を遠赤外線等発生パネル内に設けられたパイプ内に循環させ、遠赤外線等発生パネルを所定の温度に調整して遠赤外線を放射させている。
【先行技術文献】
【特許文献】
【０００５】
【特許文献１】実用新案登録第３１６３７４７号公報
【特許文献２】実用新案登録第３１６９９１３号公報
【特許文献３】実用新案登録第３１７００６６号公報
【考案の概要】
【考案が解決しようとする課題】
【０００６】
しかしながら、このような従来の波動空間生成装置にあっては、媒体液を加熱や冷却によって温度制御するための電力消費が大きく、また冬場の凍結対策として媒体液に不凍液を使用していることから、熱源の運用コストがかかるという問題がある。
【０００７】
そこで、本願出願人にあっては、地中熱交換器を使用して略一定温度に保った媒体液を、循環ポンプによって地中熱交換器と遠赤外線等発生パネル（ＢＭＥ発生パネル）との間で循環させることで、遠赤外線等発生パネル（ＢＭＥ発生パネル）を所定温度に保持でき、波動空間生成装置を提案している。
【０００８】
このような波動空間生成装置にあっては、地中熱交換器として、地下に埋設した密閉容器に循環ポンプにより媒体液を循環する導入パイプと排出パイプを設けると共に、媒体液の密閉容器への供給及び密閉容器のエア抜きを行う開閉バルブを設けたエア抜きパイプを設けている。
【０００９】
しかしながら、密閉容器にエア抜きパイプを設けた場合には、密閉容器を深い位置に埋込する場合には、地上に引き出すまでの配管長が長くなり、設置工事が煩雑でコストも増加する問題がある。また、エア抜きパイプを密閉容器に設けてエア抜きする場合、それより高い位置に設置している遠赤外線等発生パネル内に設けている循環パイプ内のエア抜き等が十分にできず、空気が残留していると媒体液の非圧縮性が損なわれ、循環ポンプの運転による圧力伝搬が低下して循環性能が悪化する問題がある。
【００１０】
更に、循環ポンプで循環する媒体液として、水道水等の水を使用しているが、媒体液を水とした場合には長期間使用していると、パイプの腐食や有機物の発生によるパイプ詰まり等を起こす可能性が高く、耐用性に問題がある。
【００１１】
本考案は、地中に埋設する密閉容器に対するパイプ接続を簡単にして設置工事を容易にし、媒体液の循環ループに対するエア抜きを適切に行い、更に、循環ループを構成する循環ポンプ、パイプ及び密閉容器の耐用性を向上可能とする波動空間生成装置を提供することを目的とする。
【課題を解決するための手段】
【００１２】
本考案は、
媒体液を循環させる循環パイプを内部に設け、人体共鳴吸収領域の波長における放射率が所定値以上の遠赤外線等放射物質を含む材料で表面を形成した遠赤外線等発生パネルと、遠赤外線等放射物質を含む材料で表面又は表面近傍を形成した遠赤外線等共鳴プレートとを備え、遠赤外線等発生パネルと遠赤外線等共鳴プレートとにより囲まれた空間を構成する波動空間生成装置に於いて、
媒体液を地中熱と熱交換して所定温度に保持する地中熱交換器と、
媒体液を遠赤外線等発生パネルと地中熱交換器との間で循環させる循環ポンプと、
を備え、
地中熱交換器は、
所定深度の地下に埋設した密閉容器と、
循環ポンプにより循環する媒体液を密閉容器の一端から導入する導入パイプと、
循環ポンプにより循環する媒体液を密閉容器の他端から排出する排出パイプと、
赤外線等パネルに設けた循環パイプの上端部から引き出され、循環パイプ、導入パイプ、密閉容器及び排出パイプからなる媒体液の循環ループへの、媒体液の供給及びエア抜きを行うエア抜きパイプと、
エア抜きパイプに設けて開閉する開閉バルブと、
を備えたことを特徴とする。
【００１３】
ここで、媒体液を油圧作動油とする。また、密閉容器は、地表から５ｍよりも深い位置に埋設する。更に、密閉容器は、ステンレス又は合成樹脂で形成する。
【考案の効果】
【００１４】
本考案によれば、開閉バルブを備えたエア抜きパイプを、赤外線等パネルに設けた循環パイプの上端部から引き出し、密閉容器及び排出パイプからなる媒体液の循環ループへの、媒体液の供給及びエア抜きを行うようにしたため、地中に埋設する密閉容器にエア抜きパイプを設けて地上に引き出して開閉バルブを設ける必要がなく、エア抜きパイプを設ける必要がないことから、密閉容器の加工が簡単で、埋設工事も容易となり、コストも低減可能とする。
【００１５】
また、エア抜きパイプを媒体液の循環ループの最上部に位置する赤外線等パネルに設けた循環パイプの上端部から引き出してエア抜きすることで、循環ループを形成するパイプ、密閉容器及び循環ポンプのエア抜きを確実に行って、媒体液の非圧縮性を確保し、循環ポンプの駆動による媒体液の循環を効率よく行うことを可能とし、媒体液を循環させるための低出力の循環ポンプを運転させるだけの少ない電力で済むため、冷房設備や給湯設備等を必要とした従来の波動空間生成装置に比べて大幅な省エネとなる。
【００１６】
また、媒体液として油圧作動油を使用することで、循環ループ流路を警報するパイプ、密閉容器及び循環ポンプにおける錆の発生や異物の詰まりを防止し、耐用性を大幅に向上可能とする。
【図面の簡単な説明】
【００１７】
【図１】家屋に設置した波動空間生成装置の構成を平面で示した説明図
【図２】波動空間生成装置の全体構成を断面で示した説明図
【図３】図１、２の地中熱交換器の実施形態を示した説明図
【図４】図１、２のＢＭＥ発生パネルの実施形態を示した説明図
【図５】図１、２のＢＭＥ共鳴プレートの実施形態を示した説明図
【考案を実施するための形態】
【００１８】
本考案の実施形態においては、微弱磁気エネルギー、マイナスイオン、遠赤外線の３要素を合わせてＢＭＥと称しており、例えば、ＢＭＥ発生パネルであれば、微弱磁気エネルギーとマイナスイオン及び遠赤外線を発生するパネル、という意味となる。
【００１９】
また、以下の実施形態の説明における、ＢＭＥ放射物質、ＢＭＥ発生パネル、ＢＭＥ共鳴プレートの各々は、特許請求の範囲における、遠赤外線等放射物質、遠赤外線等発生パネル、遠赤外線等共鳴プレートに対応している。
【００２０】
［波動空間生成装置の概要］
図１、２は本考案による波動空間生成装置の全体構成を示した説明図であり、図１は平面図、図２は断面図である。図１、２に示すように、本考案の波動空間生成装置１０は、家屋３０の部屋３２にＢＭＥ発生パネル１２と複数のＢＭＥ共鳴プレート１４を組み合わせ、ＢＭＥによる波動空間２２を構成している。
【００２１】
本実施形態では、後で詳細に説明するように、家屋３０の部屋３２を構成する壁３４、床３６、天井３８の部屋３２側の表面又は表面近傍が、各々ＢＭＥ共鳴プレート１４を構成している。
【００２２】
ＢＭＥ発生パネル１２は、パネル内部に配置された循環パイプ１２０に略一定温度の媒体液２０が循環し、パネル温度を所定温度に保持している。
【００２３】
媒体液２０としては油圧作動油を使用する。油圧作動油は、油圧機器の中で動力伝達媒体として使用される非圧縮性の流体であり、潤滑、防塵、冷却等の作用をもつ。油圧作動油には、一般作動油、耐摩耗性作動油、難燃性作動油があることがしられているが、本実施形態では、一般の油圧機器で使用している一般作動油を使用し、また、流動抵抗を低減するために低粘度の一般作動油を使用する。
【００２４】
媒体液２０は、地下に埋設された地中熱交換器１６から循環ポンプ１８で吸い上げ、供給パイプ１２２によりＢＭＥ発生パネル１２に供給され、ＢＭＥ発生パネル１２内の循環パイプ１２０を循環した後に、還流パイプ１２４から排出され地中熱交換器１６に戻される。
【００２５】
図２に示すように、地中熱交換器１６は、上端部の地表５０からの深さＳが例えば５〜５．５ｍになるように地下に埋設してあるが、これは、地下５〜６ｍの地中温度が年間を通じて約１５〜１６℃（関東地域の場合）と略一定であることからであり、これによって、動力を要する加熱源や冷却源を必要とすることなく、媒体液２０を常に１５〜１６℃に保つことができる。
【００２６】
地中熱交換器１６は、後で詳細に説明するように、電柱埋設工事に使用するドリルマシン（オーガードリル等）で掘削可能な穴径に対応させ、直径３０〜６０ｃｍ程度としてあり、これによって掘削や埋設等の設置工事を容易に行え、設置コストを低く抑えることができる。
【００２７】
媒体液２０は、地中熱交換器１６から循環ポンプ１８、ＢＭＥ発生パネル１２を経由して地中熱交換器１６に戻るという、全揚程６〜７ｍ程度の密閉配管を循環しており、循環ポンプ１８としては、揚程２０ｍ、１５Ｌ／ｍｉｎ、消費電力５０Ｗのものを使用でき、消費電力が低いことから少ない運用コストで済むということになる。
【００２８】
［地中熱交換器］
図３は、図１、２の地中熱交換器１６の実施形態を示す説明図である。本実施形態の地中熱交換器１６は、内部に媒体液２０を満たした筒状の密閉容器１６０と、導入パイプ１６８、排出パイプ１７０で構成されている。
【００２９】
密閉容器１６０は、熱伝導率及び耐食性が良い材質、例えばステンレス材で形成し、筒状部１６２、上端面部１６４、下端面部１６６で構成され、筒状部１６２の中心軸を略鉛直方向に配置して地下に埋設している。
【００３０】
本実施形態の密閉容器１６０はステンレス材で形成しているが、コストが比較的高いため、熱伝導率がステンレスより劣るが耐食性が良くまた安価に製造できる合成樹脂、例えば塩化ビニルやポリエチレン等の熱可塑性樹脂を使用することも可能である。
【００３１】
地中熱交換器１６の密閉容器１６０は、前述のように、電柱埋設工事に使用するドリルマシンで掘削可能な穴径に対応させ、直径Ｄを３０〜６０ｃｍ程度とし、筒状部１６２の長さＬは１５０ｃｍ程度とする。また、地表５０からの深さＳが５ｍよりも深い位置、実質的に５〜６ｍの深さに埋設する。
【００３２】
密閉容器１６０の上端面部１６４には、導入パイプ１６８、排出パイプ１７０が設けられており、導入パイプ１６８、排出パイプ１７０の各々の他端は、地上に突出している。
【００３３】
導入パイプ１６８は、図２に示すように、ＢＭＥ発生パネル１２からの媒体液２０を密閉容器１６０内上部に導入し、排出パイプ１７０は、密閉容器１６０内下部から媒体液２０を循環ポンプ１８へ排出する。
【００３４】
また、図２に示すように、家屋３０の部屋３２に設置したＢＭＥ発生パネル１２内に設けた循環パイプ１２０の最上端からは屋外にエア抜きパイプ１７２が引き出され、エア抜きパイプ１７２の先端開口側には大気に開放するための開閉バルブ１２８を設けている。
【００３５】
エア抜きパイプ１７２は、循環パイプ１２０，環流パイプ１２４、導入パイプ１６８、密閉容器１６０、排出パイプ１７０、循環ポンプ１８、供給パイプ１２２となる媒体液２０の循環ループ流路に対する媒体液２０の供給及び循環ループ流路の最上端となる位置からのエア抜きを行う。
【００３６】
このように循環ループ流路の最上部となる位置にエア抜きパイプ１７２を設けたことで、従来のように、地中に埋設した密閉容器１６０からエア抜き配管を地上まで引き出す必要がなくなり、地中熱交換器１６の設置工事が容易となり、また、エア抜きパイプ１７２は短くて済むことからコストも低減できる。
【００３７】
更に、エア抜きパイプ１７２を循環ループ流路の最上部となる高い位置に設けているため、密閉容器１６０のみならず、循環パイプ１２０，環流パイプ１２４、導入パイプ１６８、排出パイプ１７０、供給パイプ１２２を含むパイプ内及び循環ポンプ１８内のエア抜きを適切に行うことを可能とする。
【００３８】
なお、エア抜きパイプ１７２の設置位置は、ＢＭＥ発生パネル１２内に配置された循環パイプ１２０に限定されず、循環ループ流路の最上端となる位置であれば、適宜の位置に設けることができる。
【００３９】
循環ポンプ１８は、循環パイプ１２０，環流パイプ１２４、導入パイプ１６８、密閉容器１６０、排出パイプ１７０、循環ポンプ１８、供給パイプ１２２からなる循環ループ流路内に媒体液２０を密閉状態で充填した状態で油圧ポンプとして駆動することで、媒体液２０を循環させる。
【００４０】
この場合、循環ポンプ１８の駆動により吐出側に発生した圧力は、非圧縮の媒体液２０を充填した循環ループ流路を経由してポンプ吸入側にそのまま伝達され（パスカルの原理）、ループ全体の流路抵抗による圧力損失を上回る吐出圧力を発生することで、媒体液２０を効率良く循環することができ、前述したように、循環流量を例えば３０Ｌ／ｍｉｎ、揚程を２０ｍとすると、循環ポンプ１８の消費電力は５０Ｗ程度の低消費電力で済む。
【００４１】
循環ポンプ１８の駆動による媒体液２０の循環により、媒体液２０は供給パイプ１２２からＢＭＥ発生パネル１２内に配置された循環パイプ１２０に供給され、その後、還流パイプ１２４から流出し、密閉容器１６０内の上部に開口している導入パイプ１６８から密閉容器１６０内に流入する。
【００４２】
密閉容器１６０内に戻された媒体液２０は、上部から下部に流動する間に密閉容器１６０の壁面を介して地中熱と熱交換する。媒体液２０は、ＢＭＥ発生パネル１２内の循環パイプ１２０を循環する間にＢＭＥ発生パネル１２のアルミニウム板１３０（図４参照）と熱交換し、夏場であれば１６℃以上の温度で、冬場であれば１５℃以下の温度で密閉容器１６０内に戻るが、いずれの場合であっても、地中熱との熱交換によって地中温度である１５〜１６℃となる。
【００４３】
［ＢＭＥ発生パネル］
図４は、図１、２の波動空間生成装置１０に使用されるＢＭＥ発生パネル１２の実施形態を示した説明図であり、図４（Ａ）は、ＢＭＥ発生パネル１２の内部構造を説明するための平面図、図４（Ｂ）は、ＢＭＥ発生パネル１２の断面図である。
【００４４】
図４（Ａ）において、ＢＭＥ発生パネル１２は、長方形に囲った枠体１２６の内側に循環パイプ１２０が屈曲しながら並列して均一に配置されており、また、循環パイプ１２０は枠体１２６内に渡した支持部材１２８に固定されている。
【００４５】
また、循環パイプ１２０の右側の最上部からはエア抜きパイプ１７２が上方に引き出され、開口側に開閉バルブ１７４を設けている。
【００４６】
この状態から、図４（Ｂ）に示すように、内部に循環パイプ１２０を配置した枠体１２６の両側から、循環パイプ１２０を挟み込むようにアルミニウム板１３０で覆い、ＢＭＥ発生パネル１２としている。また、アルミニウム板１３０の外側には、ＢＭＥ放射物質を含む塗料が焼付け塗装され、ＢＭＥ放射皮膜１３２を形成している。
【００４７】
ＢＭＥ放射物質としては、少なくとも４〜１２μｍの波長帯の電磁波（遠赤外線）を発生する物質を使用する。４〜１２μｍの波長帯の電磁波は育成光線とも呼ばれ、人間を始めとする動植物に最適な人体共鳴吸収領域となる波長帯である。
【００４８】
本実施形態におけるＢＭＥ放射物質としては、波長帯４〜１２μｍの遠赤外線の放射率が９０％以上となる角閃石（波動石）を使用し、粉砕して粉末にして焼付け塗装用の塗料に混入している。
【００４９】
焼付け塗装用塗料の材料としては、アクリル樹脂系やシリコン樹脂系があり、塗装皮膜は２０〜５０μｍ程度の厚さである。このため、波動石を数μｍのオーダで微粉末とした波動パウダーを、樹脂に重量比で約２０％混入させている。
【００５０】
ＢＭＥ発生パネル１２のパネル面にアルミニウム製の基材を使用する理由は、循環パイプ１２０からの熱伝導を効率よく行うためである。アルミニウムは２２９Ｗ／（ｍ・ｋ）と高い熱伝導率を有し、金属の中では比較的軽量であることからもパネル面として最適な材質のひとつである。
【００５１】
この高熱伝導率を利用して、循環する媒体液２０の温度によるアルミニウム板１３０の表面温度の立ち上がりを素早く行わせるようにしている。そして、アルミニウム板１３０の表面に形成されている波動石入りの皮膜を均一の温度とし、ＢＭＥ放射を効率よく行わせている。
【００５２】
本実施形態のＢＭＥ発生パネル１２は、枠体１２６の両側にアルミニウム板１３０を張り、その表面に波動石の粉末を塗料と共に焼付け塗装してＢＭＥ放射皮膜１３２とする構造であるが、他の構造、例えば枠体１２６内をＢＭＥ放射物質として波動石の砂や砕石を混入したコンクリートやモルタルで埋め、その中に循環パイプ１２０を屈曲させて均一に配置した構造でもよい。
【００５３】
コンクリートやモルタルは、熱伝導率が０．９Ｗ／（ｍ・ｋ）と低く、循環パイプ１２０を循環している媒体液２０の温度まで立ち上がる時間は遅いが、蓄熱材として利用できる。また、循環パイプ１２０の両面をワイヤーメッシュで挟むようにすれば、熱伝導率が良くなり、パネル面の温度均一化が図れる。
【００５４】
本実施形態のＢＭＥ発生パネル１２の大きさは、例えば縦８０ｃｍ、横１８０ｃｍ、厚さは６ｃｍ程度の直方体（厚みのある長方形）であるが、その寸法は設置環境により自由に変更することができ、内部に循環パイプ１２０を配置する厚みがあれば形状も長方形である必要はない。
【００５５】
ＢＭＥ発生パネル１２から放射された微弱磁気エネルギー、マイナスイオン及び遠赤外線は、空間に放射されて共鳴現象により共振空間を形成するが、そのためにはＢＭＥ共鳴プレート１４を設置する必要があり、ＢＭＥ発生パネル１２とＢＭＥ共鳴プレート１４で囲まれた空間が、波動空間２２となる。
【００５６】
［ＢＭＥ共鳴プレート］
図５は、図１、２の波動空間生成装置１０に使用されるＢＭＥ共鳴プレート１４の実施形態を示した説明図であり、図５（Ａ）は、ＢＭＥ共鳴プレート１４が壁３４に設置される構成、図５（Ｂ）は、床３６に設置される構成である。
【００５７】
図５（Ａ）に示すように、壁３４は、外壁４０の内側に設けられている桟４２に、ＢＭＥ共鳴シート１４０を挟み込んで石膏ボード１４２を打ち付けてあり、また、石膏ボード１４２の表面にはＢＭＥ放射物質混入接着剤１４４によって、壁紙１４６を貼り付けてある。
【００５８】
また、ＢＭＥ共鳴プレート１４を天井３８に設置する場合（図示なし）は、壁３４の構成と略等しく、この壁３４と天井３８の場合、ＢＭＥ共鳴シート１４０、石膏ボード１４２、ＢＭＥ放射物質混入接着剤１４４、壁紙１４６によってＢＭＥ共鳴プレート１４を構成する。
【００５９】
ＢＭＥ共鳴シート１４０は、ＢＭＥ発生パネル１２のＢＭＥ放射皮膜１３２用塗料に混入させているものと同様な、波長帯４〜１２μｍの遠赤外線の放射率が９０％以上となる角閃石（波動石）を粉砕して微粉末にした波動パウダーを含有したシートである。
【００６０】
シートの材質としては、ＢＭＥ共鳴シート１４０が防湿シートを兼ねる場合は合成樹脂が望ましいが、紙、不織布等どのようなものでもかまわない。また、ＢＭＥ放射物質混入接着剤１４４は、ＢＭＥ共鳴シート１４０のものと同様な波動パウダーを混入した接着剤を壁紙用クロス糊として用いる。
【００６１】
ＢＭＥ共鳴プレート１４を床３６に設置する場合は、図４（Ｂ）に示すように、梁４４の上側に設けられている根太４６に、ＢＭＥ共鳴シート１４０を挟み込んでコンパネ等の下地材１４８を打ち付けてあり、また、下地材１４８の表面にはフローリング等の床材１５０を設置してある。この場合、ＢＭＥ共鳴シート１４０、下地材１４８、床材１５０によってＢＭＥ共鳴プレート１４を構成する。
【００６２】
床材１５０を釘打ちではなくＢＭＥ放射物質混入接着剤１４４で下地材１４８に貼り付ける場合には、ＢＭＥ共鳴シート１４０、下地材１４８、ＢＭＥ放射物質混入接着剤１４４、床材１５０によってＢＭＥ共鳴プレート１４を構成する。
【００６３】
また、ＢＭＥ共鳴プレート１４の他の実施形態（図示していない）としては、壁３４の内壁面に漆喰を塗る構成の場合、漆喰にＢＭＥ放射物質としての波動石の粉末を混合したり、天井３８の木材に波動石の微粉末を混入した塗料、例えばニスを塗装したりして、部屋３２の内壁面を利用したＢＭＥ共鳴プレート１４としてもよい。
【００６４】
波動空間２２では４〜１２μｍの波長が共鳴すればよいことから、ＢＭＥ共鳴プレート１４表面の材料はＢＭＥ発生パネル１２表面の材料と異なってもよく、波動石の含有量は漆喰やニス等の材料にあわせて調合することができる。
【００６５】
また、ＢＭＥ共鳴プレート１４は、和紙に波動石を原料とするＢＭＥ放射物質を含んだ塗料を塗った構成でもよく、この場合は、壁面や家具類の表面に自在に取り付けることができる。
【００６６】
なお、壁、床、天井の構造は多種多様であるが、どのような構成のものであっても、ＢＭＥ放射物質を含んだシートや接着剤や塗料等をその構成の中で適切に用いることで、ＢＭＥ共鳴プレート１４とすることができる。
【００６７】
更に、ＢＭＥ共鳴プレート１４の他の実施形態（図示なし）としては、壁３４、床３６、天井３８の内部がＢＭＥ共鳴プレート１４を構成するのではなく、独立したユニットとなるＢＭＥ共鳴プレート１４を壁３４の前に設置するようにしてもよい。
【００６８】
この場合のＢＭＥ共鳴プレート１４は、例えばアルミニウム板の表面に波動石の粉末を塗料とともに焼付け塗装してＢＭＥ共鳴皮膜を形成したものや、波動石を原料とするＢＭＥ放射物質を含むコンクリートやモルタルで形成したものでもよい。
【００６９】
ＢＭＥ共鳴プレート１４は、シート、接着剤、塗料、漆喰、コンクリート、モルタル等に混入したＢＭＥ放射物質により、ＢＭＥ発生パネル１２で放射された遠赤外線と共鳴効果を生じるので、ＢＭＥ発生パネル１２と対に組み合わせて配設することで波動空間２２を形成できる。
【００７０】
本考案は、４〜１２μｍの波長帯における遠赤外線、微弱磁気エネルギー及びマイナスイオンによる波動空間２２を生成することを目的としており、熱移動による冷暖房装置ではないので、熱移動効果の大きい同一分子間での熱放射現象を利用するための限定は必要としない。
【００７１】
従って、ＢＭＥ共鳴プレート１４の表面又は表面近傍に形成するＢＭＥ放射物質の混合材料は、ＢＭＥ発生パネル１２の表面に形成するＢＭＥ放射物質の混合材料と、材質や含有量が同一である必要はなく、それぞれのＢＭＥ放射物質と混合される材料との適切な調合割合でよい。
【００７２】
［波動空間生成装置による遠赤外線の共鳴］
以上、本考案による波動空間生成装置１０の実施形態を説明したが、その機能的な面であるＢＭＥ発生パネル１２から発生した遠赤外線（電磁波）の共鳴について、以下に概念的に説明する。
【００７３】
図１、２に示すように、地中熱交換器１６によって１５〜１６℃の一定温度に保持されたＢＭＥ発生パネル１２から放射された遠赤外線は、ＢＭＥ共鳴プレート１４に吸収される。ＢＭＥ共鳴プレート１４では波動石を原料とするＢＭＥ放射物質を含み、波長が４〜１２μｍ帯での遠赤外線の放射率が９０％以上と高放射率であることから、ＢＭＥ共鳴プレート１４のＢＭＥ放射物質から遠赤外線が再放射される。
【００７４】
これが共鳴現象であり、ＢＭＥ共鳴プレート１４から再放射された遠赤外線は、他のＢＭＥ共鳴プレート１４に放射され、同様に共鳴現象により遠赤外線が再放射される。更に、ＢＭＥ共鳴プレート１４から放射された遠赤外線は、ＢＭＥ発生パネル１２にも放射される。
【００７５】
このように、放射された遠赤外線が、発生源であるＢＭＥ発生パネル１２と複数のＢＭＥ共鳴プレート１４とによって共鳴現象を生ずることにより、ＢＭＥ発生パネル１２と複数のＢＭＥ共鳴プレート１４とで囲まれた空間は、ＢＭＥ（微弱磁気エネルギー、マイナスイオン及び遠赤外線）からなる波動エネルギーの存在する波動空間２２となる。
【００７６】
［本考案の変形例］
本考案による波動空間生成装置１０は、波動石（角閃石）を原料とするＢＭＥ放射物質を利用して、日常的にＢＭＥが効率良く放射され、波動エネルギーが高密度に存在する波動空間２２を形成するものであり、直接的に室内の温度調整を行うことを意図するものではないことから、例えば波動空間生成装置１０を設置した部屋３２に、冬場であれば必要に応じて暖房器具を設置して暖房しても良く、また夏場であれば冷房機器を設置して冷房を行うようにしても良い。
【００７７】
また、本考案は上記の実施形態に限定されず、その目的と利点を損なうことのない適宜の変形を含み、更に上記の実施形態に示した数値等による限定は受けない。
【符号の説明】
【００７８】
１０：波動空間生成装置
１２：ＢＭＥ発生パネル（遠赤外線等発生パネル）
１４：ＢＭＥ共鳴プレート（遠赤外線等共鳴プレート）
１６：地中熱交換器
１８：循環ポンプ
２０：媒体液
２２：波動空間
３０：家屋
３２：部屋
３４：壁
３６：床
３８：天井
４０：外壁
５０：地表
１２０：循環パイプ
１２２：供給パイプ
１２４：還流パイプ
１２６：枠体
１２８：支持部材
１３０：アルミニウム板
１３２：ＢＭＥ放射皮膜
１４０：ＢＭＥ共鳴シート
１４２：石膏ボード
１４４：ＢＭＥ放射物質混入接着剤
１４６：壁紙
１４８：下地材
１５０：床材
１６０：密閉容器
１６２：筒状部
１６４：上端面部
１６６：下端面部
１６８：導入パイプ
１７０：排出パイプ
１７２：エア抜きパイプ
１７４：開閉バルブ
【図１】
0003194908.tif 000003
【図２】
0003194908.tif 000004
【図３】
0003194908.tif 000005
【図４】
0003194908.tif 000006
【図５】
0003194908.tif 000007